(57)【要約】【課題】駅務機器構成情報を生成する生成システム、生成方法及び駅サーバを提供することを目的とする。【解決手段】駅務機器３は駅務機器設定情報を記憶する駅務機器設定情報記憶手段３３と、駅務機器設定情報を駅サーバ２に送信する駅務機器情報送信手段３１とを備え、駅サーバ２は各駅務機器３の駅務機器設定情報記憶手段３３に記憶した駅務機器設定情報を少なくとも駅サーバ設定情報として記憶する駅サーバ設定情報記憶手段２３と、駅サーバ設定情報と駅務機器から受信した駅務機器設定情報を照合し一致した時に駅サーバ設定情報を付帯した照合結果をセンター装置１に通知するサーバ通知手段２１とを備え、センター装置１は照合結果に基づいて駅務機器構成情報を生成する駅務機器構成情報生成手段１４と、駅務機器構成情報を記憶する駅務機器構成情報記憶手段１３と、駅務機器構成情報を表示する表示手段１６を備えている。【選択図】図２
2010049499.tif 000002
【特許請求の範囲】
【請求項１】
駅務機器と、
前記駅務機器と通信可能に設けられた駅サーバと、
前記駅サーバと通信可能に設けられたセンター装置と
を備え、
前記駅務機器は、
駅務機器設定情報を記憶するための駅務機器設定情報記憶手段と、
前記駅務機器設定情報を前記駅サーバに送信するための駅務機器情報送信手段と
を備え、
前記駅サーバは、
各前記駅務機器の駅務機器設定情報記憶手段に記憶した駅務機器設定情報を少なくとも駅
サーバ設定情報として記憶するための駅サーバ設定情報記憶手段と、
前記駅サーバ設定情報と前記駅務機器から受信した前記駅務機器設定情報を照合し、一致
した時に前記駅サーバ設定情報を付帯した照合結果を前記センター装置に通知するための
サーバ通知手段と
を備え、
前記センター装置は、
前記駅サーバから通知された前記照合結果に基づいて駅務機器構成情報を生成する駅務機
器構成情報生成手段と、
前記駅務機器構成情報を記憶するための駅務機器構成情報記憶手段と、
前記駅務機器構成情報を表示するための表示手段を備え
たことを特徴とする駅務機器構成情報の生成システム。
【請求項２】
前記駅務機器構成情報記憶手段は、前記駅務機器構成情報をその生成時刻と共に記憶す
ることを特徴とする請求項１に記載の駅務機器構成情報の生成システム。
【請求項３】
駅務機器と通信可能に設けられた駅サーバが、センター装置と通信可能に設けられてい
る駅務機器構成情報の生成方法であって、
前記駅務機器は、
駅務機器設定情報記憶手段に駅務機器設定情報を記憶し、
前記駅務機器設定情報を駅務機器情報送信手段から前記駅サーバに送信し、
前記駅サーバは、
駅サーバ設定情報記憶手段に各前記駅務機器の駅務機器設定情報記憶手段に記憶した駅務
機器設定情報を少なくとも駅サーバ設定情報として記憶し、
サーバ通知手段が前記駅サーバ設定情報と前記駅務機器から受信した前記駅務機器設定情
報を照合し、一致した時に前記駅サーバ設定情報を付帯した照合結果を前記センター装置
に通知し、
前記センター装置は、
駅務機器構成情報生成手段が前記駅サーバから通知された前記照合結果に基づいて駅務機
器構成情報を生成し、
駅務機器構成情報記憶手段が前記駅務機器構成情報を記憶し、
表示手段が前記駅務機器構成情報を表示する
ことを特徴とする駅務機器構成情報の生成方法。
【請求項４】
駅務機器設定情報を送信する駅務機器と通信可能に設けられた駅サーバであって、
前記駅サーバは、
各前記駅務機器の駅務機器設定情報記憶手段に記憶した駅務機器設定情報を少なくとも駅
サーバ設定情報として記憶するための駅サーバ設定情報記憶手段と、前記駅サーバ設定情
報と前記駅務機器から受信した前記駅務機器設定情報を照合し、一致した時に前記駅サー
バ設定情報を付帯した照合結果を外部装置に通知する
ことを特徴とする駅サーバ。
【発明の詳細な説明】
【技術分野】
【０００１】
本発明は、駅務機器構成情報を生成する駅務機器構成情報の生成システム及び駅務機器
構成情報の生成方法に関する。
【背景技術】
【０００２】
鉄道会社が保有する駅務機器（例えば、自動券売機、自動精算機、自動改札機、入金機
や窓口処理機等）について、管理部門での一元管理に必要な各種情報（例えば、取引情報
や稼動情報等）を収集するため、各駅あるいは数駅を纏めた一定の単位で、駅サーバ（コ
ンピュータ）を設置していることが多い。
【０００３】
従来の駅務機器の操作を支援するシステムでは、駅務機器の設定データあるいは状態デ
ータについて情報収集を行い、駅務機器操作の支援用に編集することを可能としている（
例えば、特許文献１参照）。また、駅務機器から構成情報を取得する装置がある（例えば
、特許文献２参照）。
【特許文献１】特開２００２−２６９６０５号公報
【特許文献２】特開２００４-５２３０号公報
【発明の開示】
【発明が解決しようとする課題】
【０００４】
しかしこの種の装置は、駅務機器の情報を収集して出力する手段を有するものであり、
収集した情報からリアルタイムに新たに駅務機器の構成情報を生成する手段は知られてい
ない。
【０００５】
なお駅務機器構成情報（例えば、どの駅のどの窓口にどんな駅務機器が存在しているか
を示す情報等）は、固定ではなく流動的である。
【０００６】
なぜなら駅務機器の故障や鉄道会社の季節毎のイベント対応等（例えば、花火大会など
大勢の人が駅を利用する場合、通常時とは異なり、臨時で予備の改札機などを利用可能に
する）の設置変更が頻繁であり、その変更頻度の多さと短い準備時間（例えば、最終電車
通過後から翌朝の始発出発前迄等）から駅務機器構成情報は専門の調整員により現場（例
えば、駅務機器の設置場所）で変更されることが多い。そのため駅務機器構成情報は静的
に管理できるものでなくなっており、駅務機器を管理する部署で一元管理が困難な状態に
陥っているのが現状である。
【０００７】
つまり従来では、現地で調整員により現場で変更された駅務機器構成情報は、それがセ
ンターに送信されても正しく変更された情報かどうかは不明であった。
【０００８】
そこで、本発明は、上記問題点を解決するためになされたもので、駅務機器構成情報を
生成する生成システム、生成方法および駅サーバを提供することを目的とする。
【課題を解決するための手段】
【０００９】
上記目的を達成するために、本発明による駅務機器構成情報の生成システムは、駅務機
器と、駅務機器と通信可能に設けられた駅サーバと、駅サーバに接続されたセンター装置
とを備え、駅務機器は、駅務機器設定情報を記憶するための駅務機器設定情報記憶手段と
、駅務機器設定情報を駅サーバに送信するための駅務機器情報送信手段とを備え、駅サー
バは、各駅務機器の駅務機器設定情報記憶手段に記憶した駅務機器設定情報を少なくとも
駅サーバ設定情報として記憶するための駅サーバ設定情報記憶手段と、駅サーバ設定情報
と駅務機器から受信した駅務機器設定情報を照合し、一致した時に駅サーバ設定情報を付
帯した照合結果をセンター装置に通知するためのサーバ通知手段と、を備えセンター装置
は、駅サーバから通知された照合結果に基づいて駅務機器構成情報を生成する駅務機器構
成情報生成手段と、
駅務機器構成情報を記憶するための駅務機器構成情報記憶手段と、駅務機器構成情報を表
示するための表示手段を備え、たことを特徴とする。
【発明の効果】
【００１０】
本発明によれば、通信情報をリアルタイムあるいは定時あるいは任意に収集し、駅務機
器構成情報を生成する生成システム及び生成方法が提供できる。
【発明を実施するための最良の形態】
【００１１】
以下、本発明の実施形態について図面を用いて説明する。
【実施例１】
【００１２】
本発明の生成システム全体の構成例を図１に示す。同図に示すように、本実施形態に係
る駅務機器構成情報の生成システムは、センター装置１、駅サーバ２及び駅に設置された
駅務機器３としての自動券売機、自動精算機、自動改札機、入金機や窓口処理機等の業務
用の機器から構成され、センター装置１に複数の駅サーバ２がネットワーク４を介して接
続されている。なお駅サーバ２は、各駅に設置されるか、または線区等の数駅をまとめた
単位ごとに設置されている。また駅サーバ２には、単数もしくは複数の駅務機器３がそれ
ぞれ通信可能に接続されている。
【００１３】
本発明の駅サーバ２、駅務機器３がそれぞれ１台ずつの実施形態に係る機能ブロック図
を図２に示す。同図に示すように、センター装置１は、センター通信部１１、情報抽出部
１２、データベース部１３、駅務機器構成情報生成部１４、検索部１５、表示部１６を備
えたコンピュータである。
【００１４】
センター通信部１１は、ネットワーク４を介して接続された駅サーバ２との通信を制御
する通信装置である。
【００１５】
情報抽出部１２は、センター通信部１１で受信した通信情報から、駅務機器構成情報の
生成に必要な情報を抽出するものである。
【００１６】
データベース部１３は、駅務機器構成情報などを格納するデータベースである。
【００１７】
駅務機器構成情報生成部１４は、データベース部１３を参照し、駅務機器構成情報を生
成するものである。
【００１８】
検索部１５は、照合または表示する駅務機器構成情報を検索するプログラムである。
【００１９】
表示部１６は、駅務機器構成情報を表示する表示装置である。
【００２０】
駅サーバ２は、サーバ通信部２１、情報照合・登録部２２、駅サーバ設定情報記憶部２
３を備えたコンピュータである。
【００２１】
サーバ通信部２１は、センター装置１や駅務機器３との通信を制御する通信装置である
。
【００２２】
情報照合・登録部２２は、予め入力される駅サーバ設定情報と、サーバ通信部２１が行
う全ての送受信の記録を駅サーバ設定情報記憶部２３に記憶し、さらに駅務機器３から受
信した接続開始要求に含まれる駅務機器設定情報と駅サーバ設定情報での対応する項目の
情報とが一致するか照合し、一致した時に通信情報をセンター装置１に出力するものであ
る。
【００２３】
駅サーバ設定情報記憶部２３は、駅サーバ設定情報などを格納するデータベースである
。
【００２４】
駅務機器３は、ローカル通信部３１、情報管理部３２、駅務機器設定情報記憶部３３を
備えた駅務機器である。
【００２５】
ローカル通信部３１は、接続された駅サーバ２との通信を制御する通信装置である。
【００２６】
情報管理部３２は、駅務機器の設置時に作業員が駅務機器に入力した（図示せず）、駅
務機器設定情報を駅務機器設定情報記憶部３３に記憶し、さらに駅サーバへの接続開始要
求の際に、この駅務機器設定情報をローカル通信部３１に出力するものである。
【００２７】
駅務機器設定情報記憶部３３は、駅務機器設定情報などを格納するデータベースである
。
【００２８】
データベース部１３の構成例としてブロック図を図３に示す。同図に示すように、デー
タベース部１３は駅務機器構成情報４００を含んでいる。駅務機器構成情報４００は、一
定時間で区切って収集した駅務機器構成情報をひとつの世代として、その世代ごとに駅務
機器構成情報テーブル４００−１〜４００−ｎ（ｎは整数）に格納されている。
【００２９】
ある世代の駅務機器構成情報の例として駅務機器構成情報テーブル４００−ｉの具体例
を図４に示す。同図に示すように、駅務機器構成情報テーブル４００−ｉは、会社コード
４０１、線区コード４０２、駅順コード４０３、コーナコード４０４、機種コード４０５
、機種タイプ４０６、号機番号４０７をデータ項目に含んでいる。
【００３０】
会社コード４０１は、日本国内の鉄道会社について一意に割り振るためのコードである
。線区コード４０２は、同一の会社コード４０１内において線区について一意に割り振る
ためのコードである。駅順コード４０３は、同一会社コード４０１の同一線区コード４０
２内において駅順について一意に割り振るためのコードである。
【００３１】
全国的に見れば、同一駅名の駅が複数存在し、また１つの駅に複数の鉄道会社が乗り入
れている場合がある。会社コード４０１と線区コード４０２と駅順コード４０３の組合せ
によれば、どの駅かを一意に割り振ることが出来る。なお、日本鉄道サイバネティクス協
議会が策定したサイバネ規格のコードを利用するようにしても良い。
【００３２】
コーナコード４０４は、中央口、南口等の駅内の窓口を区別するためのコードである。
【００３３】
機種コード４０５は、駅務機器の機種を区別するためのコードである。駅務機器には、
例えば、自動券売機、自動精算機、自動改札機等がある。
【００３４】
機種タイプ４０６は、同一の機種コード内において駅務機器のタイプを細分化したコー
ドである。例えば、２種類以上の自動券売機が設置される場合に区別するために使用する
。
【００３５】
号機番号４０７は、会社コード４０１、線区コード４０２、駅順コード４０３、コーナ
コード４０４と機種コード４０５が全て同一の駅務機器について、一意に割り振るための
コードである。
【００３６】
次に駅サーバ設定情報記憶部２３の構成例としてブロック図を図５に示す。同図に示す
ように、駅サーバ設定情報記憶部２３は、駅サーバ設定情報テーブル５００を含んでいる
。
【００３７】
駅サーバ設定情報テーブル５００の具体例を図６に示す。同図に示すように、駅サーバ
設定情報テーブル５００は、ＩＰアドレス５９０、会社コード５０１、線区コード５０２
、駅順コード５０３、コーナコード５０４、機種コード５０５、機種タイプ５０６、号機
番号５０７をデータ項目に含んでいる。
【００３８】
次に駅務機器設定情報記憶部３３の構成例としてブロック図を図７に示す。同図に示す
ように、駅務機器設定情報記憶部３３は、駅務機器設定情報テーブル６００を含んでいる
。
【００３９】
駅務機器設定情報テーブル６００の具体例を図８に示す。同図に示すように、駅務機器
設定情報テーブル６００は、コーナコード６０４、機種コード６０５、機種タイプ６０６
、号機番号６０７をデータ項目に含んでいる。
【００４０】
次に駅務機器３における処理の具体例を、図９に示すフローチャートを用いて説明する
。
【００４１】
駅務機器３と駅サーバ２との接続開始時（例えば毎日の営業開始の際の電源投入時、移
設後に物理的な配線完了後の立上げ時）等の所定のタイミングで、駅務機器設定情報記憶
部３３に予め記憶された駅務機器設定情報を、情報管理部３２が取得する（Ｓ９０１）。
【００４２】
続いて情報管理部３２が取得した駅務機器設定情報を、ローカル通信部３１からサーバ
通信部２１に対して、接続開始要求とともに送信する（Ｓ９０２）。
【００４３】
次に駅サーバ２における処理の具体例を、図１０に示すフローチャートを用いて説明す
る。
【００４４】
駅務機器３のローカル通信部３１から送信された駅務機器設定情報をサーバ受信部２１
で受信するとともに、情報照合・登録部２２は通信記録を通信記録記憶部（図示せず）に
記憶する（Ｓ１００１）。
【００４５】
情報照合・登録部２２で、駅サーバ設定情報記憶部２３に記憶された駅サーバ設定情報
テーブル５００に、駅務機器設定情報を送信した駅務機器３のＩＰアドレスと合致するＩ
Ｐアドレス５９０が存在するかを判定する（Ｓ１００２）。ここで合致するＩＰアドレス
が存在する場合には、ステップＳ１００３へ進む。合致するＩＰアドレスが存在しない場
合には、処理を異常終了する。
【００４６】
ステップＳ１００３では、駅サーバ設定情報テーブル５００でのＩＰアドレス５９０の
駅務機器３に対応するコーナコード５０４が、受信した駅務機器設定情報と合致するかを
判定する。ここでコーナコードが合致する場合には、ステップＳ１００４へ進む。コーナ
コードが合致しない場合には、処理を異常終了する。
【００４７】
駅サーバ設定情報テーブル５００でのＩＰアドレス５９０の駅務機器３に対応する機種
コード５０５が、受信した駅務機器設定情報と合致するかを判定する（Ｓ１００４）。こ
こで機種コードが合致する場合には、ステップＳ１００５へ進む。機種コードが合致しな
い場合には、処理を異常終了する。
【００４８】
駅サーバ設定情報テーブル５００でのＩＰアドレス５９０の駅務機器３に対応する機種
タイプ５０６が、受信した駅務機器設定情報と合致するかを判定する（Ｓ１００５）。こ
こで機種タイプ５０６が合致する場合には、ステップＳ１００６へ進む。機種タイプが合
致しない場合には、処理を異常終了する。
【００４９】
駅サーバ設定情報テーブル５００でのＩＰアドレス５９０の駅務機器３に対応する号機
番号５０７が、受信した駅務機器設定情報と合致するかを判定する（Ｓ１００６）。ここ
で号機番号が合致する場合には、ステップＳ１００７へ進む。号機番号が合致しない場合
には、処理を異常終了する。
【００５０】
サーバ通信部２１からローカル通信部３１に接続正常の返信をすると共に、通信記録を
情報照合・登録部２２で記憶する（Ｓ１００７）。
【００５１】
ＩＰアドレスが一致した駅務機器３に対応する駅サーバ設定情報テーブルの情報を通信
情報に含め、サーバ通信部２１からネットワーク４を介して、センター装置１に送信する
（Ｓ１００８）。
【００５２】
次にセンター装置１における処理の具体例を、図１１に示すフローチャートを用いて説
明する。
【００５３】
センター装置１のセンター通信部１１で、駅サーバ２のサーバ通信部２１からネットワ
ーク４を介して送信された駅サーバ設定情報を含む通信情報を受信する（Ｓ１１０１）。
【００５４】
このセンター通信部１１で受信した通信情報から、通信時刻と、駅務機器構成情報の生
成に必要な情報である会社コード、線区コード、駅順コード、コーナコード、機種コード
、機種タイプ、号機番号を情報抽出部１２で抽出する（Ｓ１１０２）。
【００５５】
この情報抽出部１２で抽出した情報と、データベース部１３に記憶された該当する駅務
機器構成情報とを比較する（Ｓ１１０３）。
【００５６】
比較する駅務機器構成情報がデータベース部１３に既にある場合には、ステップＳ１１
０５へ進む。無い場合には、ステップＳ１１０６へ進む（Ｓ１１０４）。
【００５７】
駅務機器構成情報を更新日時も含めて更新する（Ｓ１１０５）。
【００５８】
情報抽出部１２で抽出した情報を、データベース部１３に生成日時とともに記憶する（
Ｓ１１０６）。
【００５９】
次に駅サーバ２からセンター装置１に送信される通信情報の具体例を図１２に示す図を
用いて説明する。
【００６０】
例えば、「２００８，０２，２７，１３，００，０３，・・・・・，１５，０２１，０
０５，０００３，０００１，・・・・・,＃端末通知正常終了＃」は、通信日時２００８
年２月２７日１３時００分０３秒に、駅コード１５、線区コード０２１、駅順コード００
５で表される駅において、コーナコード０００３で表されるコーナに設置された、機種コ
ード０００１の駅務機器と駅サーバの通信が正常終了したことを示している。
【００６１】
次にセンター装置メニュー画面の具体例について図１３を用いて説明する。生成または
更新された駅務機器構成情報は、生成または更新日時と共にデータベース部１３に記憶さ
れている。参照したい生成日時を入力またはプルダウンメニューから選択し、参照ボタン
を押下すると、その日時に生成または更新された駅務機器構成情報が図１４で示すように
一覧表示される。
【００６２】
駅務機器構成情報参照画面の具体例について図１４を用いて説明する。生成日時が２０
０８年２月２７日１３時００分０３秒を選択して表示した例であり、生成日時は画面右上
に表示されている。選択した生成日時の駅務機器構成情報をデータベース部１３から抽出
し、１つの駅務機器について１行で一覧表示する。生成日時が同じ駅務機器が多数ある場
合でも、縦スクロールで全行を参照できる。終了ボタンを押下すると生成装置メニュー画
面に戻る。
【実施例２】
【００６３】
続いて以下に、本発明の第２の実施例について図面を用いて説明する。
【００６４】
まずセンター装置１における処理の具体例を、図１５示すフローチャートを用いて説明
する。なお、ステップＳ１５０１からステップＳ１５０４までは、図１１のステップＳ１
１０１からステップＳ１１０４までと同じである。
【００６５】
周期について以下に説明する。例えば予め朝方は１５分毎、昼間は１時間毎、夕方以降
は１時間毎などの一定周期を設定しておき、各周期内に生成された最新の駅務機器構成情
報を、その世代の情報として記憶する。つまり昼間は１時間毎の周期であれば、例えば１
３時００分０１秒から１４時００分００秒までが１つの周期となる。
【００６６】
受信した通信情報の通信時刻が、比較した駅務機器構成情報と同一の周期内かどうかを
判定する（Ｓ1５０５）。同一周期内の場合には、駅務機器構成情報を更新日時も含めて
更新する（Ｓ１５０８）。
【００６７】
異なる周期の場合には、新しい世代として情報抽出部１２で抽出した情報を、生成日時
とともにデータベース部１３に記憶する（Ｓ１５０７）。
【００６８】
情報抽出部１２で抽出した情報を、生成日時とともにデータベース部１３に記憶する（
Ｓ１５０６）。
【００６９】
例えば、１３時００分０３秒にこの周期内の最初の駅務機器構成情報が生成されると、
データベース部に記憶される。その後１３時５０分００秒に同一の駅務機器について駅務
機器構成情報が生成されると、１３時００分０３秒の情報が更新されて、１３時５０分０
０秒の情報がデータベースに記憶される。さらに次の周期の時間帯になった１４時００分
１５秒に同一の駅務機器について駅務機器構成情報が生成されると、前の周期の駅務機器
構成情報はそのままで、別の世代の駅務機器構成情報としてデータベース部に記憶される
。
【実施例３】
【００７０】
続いて以下に、本発明の第３の実施例について図面を用いて説明する。
【００７１】
データベース部１３の構成例としてブロック図を図１６に示す。データベース部１３は
実施例１と同様に駅務機器構成情報などを格納するデータベースである。例えばここでは
駅務機器構成情報４００を含んでいる。更に、駅名・コード対応テーブル７００、コーナ
名・コード対応テーブル８００、機種名・コード対応テーブル９００、メーカ名・コード
対応テーブル１０００を含んでいる。
【００７２】
ある世代の駅務機器構成情報の例として駅務機器構成情報テーブル４００−ｉの具体例
を図１７に示す。同図に示すように、駅務機器構成情報テーブル４００−ｉは、会社コー
ド４０１、線区コード４０２、駅順コード４０３、コーナコード４０４、機種コード４０
５、機種タイプ４０６、号機番号４０７、メーカコード４０８、製造型式番号４０９をデ
ータ項目に含んでいる。
【００７３】
次に、駅務機器設定情報テーブル６００の具体例を図１８に示す。同図に示すように、
駅務機器設定情報テーブル６００は、コーナコード６０４、機種コード６０５、機種タイ
プ６０６、号機番号６０７、メーカコード６０８、製造型式番号６０９をデータ項目に含
んでいる。
【００７４】
次に、駅名・コード対応テーブル７００の他の具体例を図１９に示す。同図に示すよう
に駅名・コード対応テーブル７００は、会社コード７０１、線区コード７０２、駅順コー
ド７０３と駅名７１１をデータ項目に含んでいる。
【００７５】
次に、コーナ名・コード対応テーブル８００の他の具体例を図２０に示す。同図に示す
ようにコーナ名・コード対応テーブル８００は、コーナコード８０４とコーナ名８１２を
データ項目に含んでいる。
【００７６】
次に、機種名・コード対応テーブル９００の他の具体例を図２１に示す。同図に示すよ
うに機種名・コード対応テーブル９００は、機種コード９０５と機種名９１３をデータ項
目に含んでいる。
【００７７】
次に、メーカ名・コード対応テーブル１０００の他の具体例を図２２に示す。同図に示
すようにメーカ名・コード対応テーブル１０００は、メーカコード１００８とメーカ名１
０１４をデータ項目に含んでいる。
【００７８】
次に駅務機器構成情報参照画面の具体例について図２３を用いて説明する。生成日時が
２００８年２月２７日１３時００分０３秒を選択して表示した例であり、生成日時は画面
右上に表示されている。選択した生成日時の駅務機器構成情報４００をデータベース部１
３から抽出し、１つの駅務機器について１行で一覧表示する。生成日時が同じ駅務機器が
多数ある場合でも、縦スクロールで全行を参照できる。さらに本実施例によれば、データ
ベース部１３に記憶された駅名・コード対応テーブル７００、コーナ名・コード対応テー
ブル８００、機種名・コード対応テーブル９００、メーカ名・コード対応テーブル１００
０を参照し、駅名、コーナ名、機種名、メーカ名をコードから和名に変換し、和名で表示
する。なお、終了ボタンを押下すると生成装置メニュー画面に戻る。
【図面の簡単な説明】
【００７９】
【図１】本発明の駅務機器構成情報の生成システム全体の構成例を示す図。
【図２】本発明の駅務機器構成情報の生成システムの構成例を示す機能ブロック図。
【図３】データベース部１３の構成例を示すブロック図。
【図４】駅務機器構成情報テーブル４００−ｉの具体例を示す図。
【図５】駅サーバ設定情報記憶部２３の構成例を示すブロック図。
【図６】駅サーバ設定情報テーブル５００の具体例を示す図。
【図７】駅務機器設定情報記憶部３３の構成例を示すブロック図。
【図８】駅務機器設定情報テーブル６００の具体例を示す図。
【図９】駅務機器３における処理の具体例を示すフローチャート。
【図１０】駅サーバ２における処理の具体例を示すフローチャート。
【図１１】センター装置１における処理の具体例を示すフローチャート。
【図１２】駅サーバ２からセンター装置１に送信される通信情報の構成例を示す図。
【図１３】センター装置メニュー画面の具体例を示す図。
【図１４】駅務機器構成情報参照画面の具体例を示す図。
【図１５】センター装置１における処理の具体例を示すフローチャート。
【図１６】データベース部１３の構成例を示すブロック図。
【図１７】駅務機器構成情報テーブル４００−ｉの具体例を示す図。
【図１８】駅務機器設定情報テーブル６００の具体例を示す図。
【図１９】駅名・コード対応テーブル７００の具体例を示す図。
【図２０】コーナ名・コード対応テーブル８００の具体例を示す図。
【図２１】機種名・コード対応テーブル９００の具体例を示す図。
【図２２】メーカ名・コード対応テーブル１０００の具体例を示す図。
【図２３】駅務機器構成情報参照画面の具体例を示す図。
【符号の説明】
【００８０】
１…センター装置、
２…駅サーバ、
３…駅務機器
４…ネットワーク
１１…センター通信部、
１２…情報抽出部、
１３…データベース部、
１４…駅務機器構成情報生成部、
１５…検索部、
１６…表示部、
２１…サーバ通信部、
２２…情報照合・登録部、
２３…駅サーバ設定情報記憶部、
３１…ローカル通信部、
３２…情報管理部、
３３…駅務機器設定情報記憶部、
４００…駅務機器構成情報、
４００−１〜４００−ｎ…駅務機器構成情報テーブル、
４０１…会社コード、
４０２…線区コード、
４０３…駅順コード、
４０４…コーナコード、
４０５…機種コード、
４０６…機種タイプ、
４０７…号機番号、
４０８…メーカコード、
４０９…製造型式番号、
５００…駅サーバ設定情報テーブル、
５０１…会社コード、
５０２…線区コード、
５０３…駅順コード、
５０４…コーナコード、
５０５…機種コード、
５０６…機種タイプ、
５０７…号機番号、
５９０…ＩＰアドレス、
６００…駅務機器設定情報テーブル、
６０４…コーナコード、
６０５…機種コード、
６０６…機種タイプ、
６０７…号機番号、
６０８…メーカコード、
６０９…製造型式番号、
７００…駅名・コード対応テーブル、
７０１…会社コード、
７０２…線区コード、
７０３…駅順コード、
７１１…駅名、
８００…コーナ名・コード対応テーブル、
８０４…コーナコード、
８１２…コーナ名、
９００…機器名・コード対応テーブル、
９０５…機種コード、
９１３…機種名、
１０００…メーカ名・コード対応テーブル、
１００８…メーカコード、
１０１４…メーカ名、
【図１】
2010049499.tif 000003
【図２】
2010049499.tif 000004
【図３】
2010049499.tif 000005
【図４】
2010049499.tif 000006
【図５】
2010049499.tif 000007
【図６】
2010049499.tif 000008
【図７】
2010049499.tif 000009
【図８】
2010049499.tif 000010
【図９】
2010049499.tif 000011
【図１０】
2010049499.tif 000012
【図１１】
2010049499.tif 000013
【図１２】
2010049499.tif 000014
【図１３】
2010049499.tif 000015
【図１４】
2010049499.tif 000016
【図１５】
2010049499.tif 000017
【図１６】
2010049499.tif 000018
【図１７】
2010049499.tif 000019
【図１８】
2010049499.tif 000020
【図１９】
2010049499.tif 000021
【図２０】
2010049499.tif 000022
【図２１】
2010049499.tif 000023
【図２２】
2010049499.tif 000024
【図２３】
2010049499.tif 000025